(57)【要約】【課題】遊技媒体の識別に用いるデータを効率的に登録すること。【解決手段】遊技店に設けた台間カード処理機２００及び３００のうち少なくとも一台を、基準となるメダルの特徴量を取得する登録モードに切り替え可能とし、登録モードにおいて投入されたメダルの特徴量を登録情報２０５ａとして取得し、該登録情報２０５ａを遊技店に設けた台間カード処理機２００及び３００で共有し、判定モードにおいて受け付けたメダルの特徴量を登録情報２０５ａと比較して自店メダルと他店メダルとを峻別する。【選択図】図１
2014068910.tif 000002
【特許請求の範囲】
【請求項１】
遊技機に対応して設置される各台装置であって、
遊技媒体の投入を受け付ける投入受付手段と、
前記投入受付手段により受け付けられた遊技媒体を登録処理する登録モードと、前記投入受付手段により受け付けられた遊技媒体を判定処理する判定モードとを切り替える切替手段と、
前記登録モードにおいて、前記投入受付手段により受け付けられた遊技媒体の特徴量を取得し、該特徴量を基準遊技媒体情報として登録処理する登録処理手段と、
前記判定モードにおいて、前記投入受付手段により受け付けられた遊技媒体の特徴量を取得し、該特徴量を前記基準遊技媒体情報と比較して一致するか否かを判定処理する判定処理手段と
を備えたことを特徴とする各台装置。
【請求項２】
前記判定モードにおいて、前記投入受付手段により受け付けられた遊技媒体の数を計数する計数手段をさらに備え、
前記計数手段は、前記判定モードにおいて、前記投入受付手段により受け付けられた遊技媒体のうち、前記基準遊技媒体情報と特徴量が一致する遊技媒体の数を計数する
ことを特徴とする請求項１に記載の各台装置。
【請求項３】
前記遊技媒体はメダルであり、前記登録処理手段及び前記判定処理手段は、前記メダルを撮像したデータから前記特徴量を取得することを特徴とする請求項１又は２に記載の各台装置。
【請求項４】
前記基準遊技媒体情報を他の装置に送信する送信手段と、
他の装置から前記基準遊技媒体情報を受信し、受信した前記基準遊技媒体情報が所定の条件を満たしている場合には受信した前記基準遊技媒体情報を登録処理する受信登録手段と
をさらに備えたことを特徴とする請求項１、２又は３に記載の各台装置。
【請求項５】
前記登録処理手段は、複数の遊技種の遊技媒体について各々基準遊技媒体情報を登録処理する機能を有することを特徴とする請求項１〜４のいずれか一つに記載の各台装置。
【請求項６】
前記判定処理手段は、複数の遊技種について各々登録された基準遊技媒体情報を用いて判定処理を行い、前記計数手段は、前記判定モードにおいて、前記判定処理手段による判定結果に基づいて前記遊技種毎に遊技媒体の数を計数することを特徴とする請求項２〜５のいずれか一つに記載の各台装置。
【請求項７】
前記登録処理手段は、操作者を特定する操作者情報を取得し、該操作者情報の認証結果に基づいて前記登録処理の実行可否を決定することを特徴とする請求項１〜６のいずれか一つに記載の各台装置。
【請求項８】
遊技機に隣接して設置され、遊技媒体の投入を受け付ける各台装置における遊技媒体処理方法であって、
前記遊技媒体を登録処理する登録モードと前記遊技媒体を判定処理する判定モードとを切り替える切替工程と、
前記登録モードにおいて、投入された遊技媒体の特徴量を取得し、該特徴量を基準遊技媒体情報として登録処理する登録処理工程と、
前記判定モードにおいて、投入された遊技媒体の特徴量を取得し、該特徴量を前記基準遊技媒体情報と比較して一致するか否かを判定処理する判定処理工程と
を含んだことを特徴とする遊技媒体処理方法。
【発明の詳細な説明】
【技術分野】
【０００１】
本発明は、遊技機に隣接して設置される各台装置とこの遊技機に使用される遊技媒体を処理する遊技媒体処理方法であって、特に遊技店にて多量に店内を流通している遊技媒体の種別を判別するための各台装置及び遊技媒体処理方法に関する。
【背景技術】
【０００２】
従来、遊技店では、パチンコ玉を用いるパチンコ遊技機に併設したユニットによりパチンコ玉の貸出しを行っていた。また、パチンコ遊技機用のユニットには、遊技によって獲得したパチンコ玉を計数する機能を持たせることが行われている（例えば特許文献１参照。）。
【０００３】
このパチンコ玉を用いるパチンコ遊技の他に、メダルを用いる遊技機（スロットマシン）も遊技店に設置されているが、最近、このメダルを用いる遊技機にも、遊技者による獲得メダルの持ち運びを省きあるいは獲得メダルの回収を迅速に行うため、台ごとに獲得メダルを計数する計数機（各台メダル計数機）が備えられつつある。この各台メダル計数機は、獲得した賞メダルを投入することでその数を計数すると共に賞メダルは流通経路に戻し、得られた計数値を表示し、あるいは記録媒体へ記録し、更に管理のためにその計数値を台番号とともに島コントローラあるいは店全体を管理するターミナルコントローラなどの管理装置に通知する。
【０００４】
ところが、これまでの各台メダル計数機では、遊技者の故意や過失により自店の他の運用コーナーのメダルあるいは他店のメダルが混入することがある。つまり、メダル計数機が、自店の他の運用コーナーのメダルあるいは他店のメダルを計数してしまう恐れが頻繁にあった。
【先行技術文献】
【特許文献】
【０００５】
【特許文献１】特開２０１１−１５６１５５号公報
【発明の概要】
【発明が解決しようとする課題】
【０００６】
このため、各台メダル計数機では、遊技媒体としての運用対象とするメダルの種別を特定するために、運用対象のメダルと運用対象外のメダルを判別する機能を備えたものが考えられる。すなわち、運用対象として識別すべきメダルの特徴（模様や文字、色など）を特定するための情報を予め認識しておき、この運用メダルの認識データを用いて各台メダル計数機にて取得した獲得メダルの認識データと比較し、相互の認識データの比較により運用対象のメダルと運用対象でないメダルとを区別し選別することが考えられる。
【０００７】
しかしながら、運用対象のメダルの認識データを予め作成するにあたっては、各台メダル計数機とは別の認識データ取得用専用装置や、カードシステムを構成する以外の装置にて画像データ、反射率データあるいは波長データなどの認識データを取得する必要がある。そしてこの取得作業は、メダルを確実に読み込んで認識データを得なければならない。この認識データの取得は、認識データ取得専用装置に認識データが作成されるため、この認識データが専用装置から読み出し可能な場合には、認識データを悪意の第三者に窃取された場合、認識パターンの解析により偽メダルの作成などの不正の横行を許してしまう可能性がある。さらに、認識データの取得は、日々行うような頻度の高い作業ではないため、この作業のためだけに専用の装置を用意したり、専用の作業を行ったりすることは、費用的にも作業的にも不合理である。また複数の遊技種（複数レート）については、この認識データ取得作業が複数回必要となる、という問題点も孕んでいる。
【０００８】
運用対象のメダルと獲得メダルとの比較判定を行うという観点から島端メダル計数機を見た場合、この計数機に運用対象のメダルを流して運用対象メダルの認識パターンを正規の認識データとして取得・登録し、獲得メダルの画像と照合して他店メダルの排除をするという方策も考えられるが、このことは設置台数の少ない島端メダルの計数機のみが対象であり、この方策を多数設置された各台装置にそのまま適用することはできない。すなわち、個別の各台装置全台にて自店メダルを流して正規データを個別に取得・登録することは、その登録作業が非常に面倒で大変な作業となり、多数の遊技機を備える大きな店舗になるほどその作業は係員にとって大変な負担となり、現実的な解決手段ではない。
【０００９】
本発明は、上述の問題点に鑑みなされたものであって、遊技媒体の識別に用いるデータを効率的に登録することのできる各台装置及び遊技媒体処理方法を提供することを目的とする。
【課題を解決するための手段】
【００１０】
上述の課題を解決するために、本発明は、遊技機に対応して設置される各台装置であって、遊技媒体の投入を受け付ける投入受付手段と、前記投入受付手段により受け付けられた遊技媒体を登録処理する登録モードと、前記投入受付手段により受け付けられた遊技媒体を判定処理する判定モードとを切り替える切替手段と、前記登録モードにおいて、前記投入受付手段により受け付けられた遊技媒体の特徴量を取得し、該特徴量を基準遊技媒体情報として登録処理する登録処理手段と、前記判定モードにおいて、前記投入受付手段により受け付けられた遊技媒体の特徴量を取得し、該特徴量を前記基準遊技媒体情報と比較して一致するか否かを判定処理する判定処理手段とを備えたことを特徴とする。
【００１１】
また、本発明は、上記発明において、前記判定モードにて、前記投入受付手段により受け付けられた遊技媒体の数を計数する計数手段をさらに備え、前記計数手段は、前記判定モードにおいて、前記投入受付手段により受け付けられた遊技媒体のうち、前記基準遊技媒体情報と特徴量が一致する遊技媒体の数を計数することを特徴とする。
【００１２】
また、本発明は、上記発明において、前記遊技媒体はメダルであり、前記登録処理手段及び前記判定処理手段は、前記メダルを撮像したデータから前記特徴量を取得することを特徴とする。
【００１３】
また、本発明は、上記発明において、前記基準遊技媒体情報を他の装置に送信する送信手段と、他の装置から前記基準遊技媒体情報を受信し、受信した前記基準遊技媒体情報が所定の条件を満たしている場合には受信した前記基準遊技媒体情報を登録処理する受信登録手段とをさらに備えたことを特徴とする。
【００１４】
また、本発明は、上記発明において、前記登録処理手段は、複数の遊技種の遊技媒体について各々基準遊技媒体情報を登録処理する機能を有することを特徴とする。
【００１５】
また、本発明は、上記発明において、前記判定処理手段は、複数の遊技種について各々登録された基準遊技媒体情報を用いて判定処理を行い、前記計数手段は、前記判定モードにおいて、前記判定処理手段による判定結果に基づいて前記遊技種毎に遊技媒体の数を計数することを特徴とする。
【００１６】
また、本発明は、上記発明において、前記登録処理手段は、操作者を特定する操作者情報を取得し、該操作者情報の認証結果に基づいて前記登録処理の実行可否を決定することを特徴とする。
【００１７】
また、本発明は、遊技機に隣接して設置され、遊技媒体の投入を受け付ける各台装置における遊技媒体処理方法であって、前記遊技媒体を登録処理する登録モードと前記遊技媒体を判定処理する判定モードとを切り替える切替工程と、前記登録モードにおいて、投入された遊技媒体の特徴量を取得し、該特徴量を基準遊技媒体情報として登録処理する登録処理工程と、前記判定モードにおいて、投入された遊技媒体の特徴量を取得し、該特徴量を前記基準遊技媒体情報と比較して一致するか否かを判定処理する判定処理工程とを含んだことを特徴とする。
【発明の効果】
【００１８】
本発明によれば、投入受付手段により受け付けられた遊技媒体を登録処理する登録モードと、投入受付手段により受け付けられた遊技媒体を判定処理する判定モードとを切り替え、登録モードにおいて、投入受付手段により受け付けられた遊技媒体の特徴量を取得し、該特徴量を基準遊技媒体情報として登録処理し、判定モードにおいて、投入受付手段により受け付けられた遊技媒体の特徴量を取得し、該特徴量を基準遊技媒体情報と比較して一致するか否かを判定処理するよう構成したので、遊技媒体の識別に用いるデータを効率的に登録することができる。
【図面の簡単な説明】
【００１９】
【図１】図１は、実施例１での遊技店のシステムを示す概念図である。
【図２】図２は、図１に示した遊技機及び台間カード処理機の外観構成を示す図である。
【図３】図３は、図１に示した台間カード処理機の内部構成を示すブロック図である。
【図４】図４は、登録モードにおける台間カード処理機の処理手順を示すフローチャートである。
【図５】図５は、判定モードにおける台間カード処理機の処理手順を示すフローチャートである。
【図６】図６は、計数部による混入監視の処理手順を示すフローチャートである。
【図７】図７は、複数の特徴量データを用いた判定の処理手順を示すフローチャートである。
【図８】図８は、実施例２での遊技店のシステムを示す概念図である。
【図９】図９は、実施例２における登録モードの処理手順を示すフローチャートである。
【図１０】図１０は、実施例２における判定モードの処理手順を示すフローチャートである。
【図１１】図１１は、実施例３に係る遊技機及び台間カード処理機の外観構成を示す図である。
【図１２】図１２は、実施例３に係る台間カード処理機の内部構成を示すブロック図である。
【発明を実施するための形態】
【００２０】
以下に、図面を用いて本発明に係る各台装置及び遊技媒体処理方法の好適な実施例を説明する。
【実施例１】
【００２１】
まず、本発明の基本的な実施例１について説明する。この実施例は、全体のシステムにおいて自店メダルと他店メダルとを判定する基本的な実施例となっている。
【００２２】
図１は、実施例１での遊技店のシステムを示す概念図である。図１に示すように、遊技店のシステムは、複数の遊技機を有する遊技島２、３及び管理装置１００を有する。遊技島２には、島コントローラ２０と、複数の遊技機２９０と、複数の遊技機２９０に各々対応して設けられた台間カード処理機２００とが設置される。同様に、遊技島３には、島コントローラ３０と、複数の遊技機３９０と、複数の遊技機３９０に各々対応して設けられた台間カード処理機３００とが設置される。ここで、遊技機２９０、３９０は、メダルを遊技媒体として用いるスロットマシンであり、台間カード処理機２００、３００はメダルの貸出等を行なう装置である。
【００２３】
管理装置１００は、母回線４（回線４という）及びこの回線４に繋がる遊技島２、３の分岐回線４２、４３（回線４２、４３という）を介して遊技島２、３の各装置に接続される。ここで、管理装置１００は回線４を介して店舗内の全ての機器を管理するものであり、島コントローラ２０、３０は、管理装置１００の下位に位置し、それぞれ回線４２、４３を介して各島２、３の遊技機２９０、３９０および台間カード処理機２００、３００を管理するものである。
【００２４】
図１に示したシステムで玉貸しを行なう場合の玉貸処理について説明する。遊技客が台間カード処理機２００又は３００に対して玉貸操作を行なうと、台間カード処理機２００又は３００は、管理装置１００のローカルＩＰアドレスを宛先として指定した電文を送信する。この電文は、台間カード処理機２００又は３００に挿入されているカードのカードＩＤと、送信元である台間カード処理機２００又は３００を特定するＩＰアドレス若しくは任意の識別情報と、玉貸要求とを含む。
【００２５】
管理装置１００は、玉貸要求を含む電文を受信すると、該電文内のカードＩＤに関連付けられたプリペイド価値を所定値（例えば、１００円＝１度数の場合に５度数）減算してカード管理データを更新し、玉貸許可を送信元の台間カード処理機２００又は３００に送信する。玉貸許可を受信した台間カード処理機２００又は３００は、減算したプリペイド価値に対応する数（例えば２５枚）のメダルを払い出す。
【００２６】
次に、図１に示したシステムで持メダルの再プレイを行なう場合の持メダル再プレイ処理について説明する。台間カード処理機２００及び３００は、一般カードあるいは会員カードの挿入を受け付けた場合に、管理装置１００のローカルＩＰアドレスを宛先として指定した電文を送信する。この電文は、台間カード処理機２００又は３００に挿入されているカードのカードＩＤと、送信元である台間カード処理機２００又は３００を特定するＩＰアドレス若しくは任意の識別情報と、台間カード処理機２００又は３００のレートを特定するための情報と、カード挿入通知とを含む。
【００２７】
管理装置１００は、台間カード処理機２００又は３００からカード挿入通知を受信した場合には、該電文内のカードＩＤに関連付けられた持メダル口座のうち、該電文により特定されたレートの持メダル口座の残高を台間カード処理機２００又は３００に通知する。
【００２８】
台間カード処理機２００又は３００は、管理装置１００から受信した持メダルの残高を記憶する。そして、カードＩＤ及びレートを特定する情報と、持メダル減算要求とを含む電文を管理装置１００に送信する。管理装置１００は、持メダル減算要求を受信した場合には、カードＩＤ及びレートにより特定される持メダル口座の残高をゼロにクリアする。台間カード処理機２００又は３００は、持メダル再プレイ操作を受け付けた場合には、記憶した持メダルの残高を所定数減算し、対応する数のメダルを払い出す。
【００２９】
台間カード処理機２００又は３００は、カード返却操作を受け付けた場合には、管理装置１００に対して持メダル加算要求を含む電文を送信する。この電文は、排出するカードのカードＩＤと、送信元である台間カード処理機２００又は３００を特定するＩＰアドレス若しくは任意の識別情報と、台間カード処理機２００又は３００のレートを特定するための情報と、持メダルの残高と、持メダル加算要求とを含む。
【００３０】
管理装置１００は、持メダル加算要求を受け付けた場合には、該電文内のカードＩＤに関連付けられた持メダル口座のうち、該電文により特定されたレートの持メダル口座の残高を受信した残高の値に更新する。その後、台間カード処理機２００又は３００は、管理装置１００にカード排出通知を送信し、カードを排出制御する。
【００３１】
次に、図１に示したシステムで貯メダルの再プレイを行なう場合の貯メダル再プレイ処理について説明する。台間カード処理機２００又は３００は、カードの挿入後、最初に貯メダル再プレイ操作を受け付けた場合、若しくは会員カードとして使用可能な携帯端末からカードＩＤに対応する識別情報を読み取った場合に、管理装置１００のローカルＩＰアドレスを宛先として指定した電文を送信する。この電文は、台間カード処理機２００又は３００に挿入されているカードのカードＩＤ（若しくは携帯端末から読み取ったカードＩＤに対応する識別情報。以降、カードＩＤという）と、送信元である台間カード処理機２００又は３００を特定するＩＰアドレス若しくは任意の識別情報と、台間カード処理機２００又は３００のレートを特定するための情報と、貯メダル再プレイ要求とを含む。また、貯メダル再プレイに際して暗証番号の入力を要求する場合には、電文の送信前に暗証番号の入力を要求しておき、入力された暗証番号を電文に含めてもよい。
【００３２】
管理装置１００は、貯メダル再プレイ要求の電文を受信した場合には、該電文内のカードＩＤに関連付けられた貯メダル口座のうち、該電文により特定されたレートの貯メダル口座の残高を所定値減算し、減算後の残高とともに貯メダル再プレイ許可を台間カード処理機２００又は３００に送信する。
【００３３】
台間カード処理機２００又は３００は、貯メダル再プレイ許可を受信したならば、所定数のメダルを投出し、貯メダル残高の更新を行なう。
【００３４】
次に、閉店処理における持メダルからの貯メダルへの移行について説明する。管理装置１００は、閉店処理時に持メダル口座の残高を確認し、持メダルの残高が「０」より大きい持メダル口座が存在する場合には、該持メダル口座の残高を対応する貯メダル口座の残高に加算し、持メダル口座の残高をゼロにクリアする。
【００３５】
次に、図１に示した遊技機２９０、３９０及び台間カード処理機２００、３００の外観構成について説明する。なお、遊技機２９０と遊技機３９０は同一の構成を有し、台間カード処理機２００と台間カード処理機３００とは同一の構成を有するので、遊技機２９０及び台間カード処理機２００について詳細に説明し、遊技機３９０及び台間カード処理機３００については説明を省略する。図２は、図１に示した遊技機及び台間カード処理機の外観構成を示す図である。
【００３６】
遊技機２９０は、遊技媒体であるメダルをメダル投入口に投入して、３個のドラムを回転させるとともに、ストップボタンを順次押して絵柄をそろえることにより遊技を行うスロットマシンである。遊技機２９０は、メダル投入口６３と、ドラムの回転を開始させるとともに抽選の契機となるスタートレバー６４と、３つのドラム６５〜６７と、各ドラムの回転をストップさせるストップボタン６８〜７０と、クレジット残数を表示するクレジット表示部７１と、３枚掛け〜１枚掛け用の掛け枚数設定ボタン７２〜７４と、３つのドラムの絵柄が揃った際に獲得したメダル数が表示される払い出し表示部７５と、スロットマシン内部から払い出される賞メダル及び貸メダルを受け入れる受け皿７６とを有する。
【００３７】
遊技機２９０は、メダル投入口６３にメダルを投入してスタートレバー６４を操作すると、３つのドラム６５〜６７がそれぞれ回転し、各ドラムのストップボタン６８〜７０を押下すると、それぞれのドラム６５〜６７が停止する。また、クレジット表示部７１にメダル枚数が残っている場合には、例えば掛け枚数設定ボタン７２を押下してスタートレバー６４を操作すると、メダル投入口６３に３枚のメダルを投入してスタートレバー６４を操作した場合と同様のゲームが開始される。すなわち、３枚のメダルを投入する３枚掛けのゲームでは、横３列及び斜め２列の合計５列が有効ラインとなる。
【００３８】
そして、３つのドラム６５〜６７の有効ラインに一定の絵柄が揃うと、払い出し表示部７５には絵柄の種類に応じた獲得メダル（賞メダル）枚数が表示されると共に、この獲得メダル枚数が払い出される。具体的には、このメダルは直ちに受け皿７６に払い出されるわけではなく、クレジットとして内部留保（メダル数を電子的に記憶）され、クレジット表示部７１の表示内容がメダル枚数分だけ加算される。クレジットとして内部留保可能な数には上限があり、獲得メダル枚数を加算した結果、クレジット数の上限を超える場合には、超過分が遊技機２９０のホッパから受け皿７６に払い出される。
【００３９】
遊技機２９０に隣接して設置される台間カード処理機２００は、メダル貸し機８０及びメダル計数機９０を有する。メダル貸し機８０の前面パネルには、カード及び現金の受付可能状態を遊技者に報知するカードランプ８１及び現金ランプ８２と、紙幣を受け入れる紙幣投入口８３と、投入した貨幣の返却操作を受け付ける返却レバー８４と、メダルの貸出操作を受け付ける貸出ボタン８５ａと、カードの返却操作を受け付ける返却ボタン８５ｂと、操作する度に貸し出されるメダルの枚数（貸出単位）を遊技者が設定する金額設定ボタン８６と、貸出結果が表示される金額表示部８７と、カードを受け付けるカード挿入口８８とを有する。
【００４０】
メダル計数機９０には、前面パネルの一部にあって、計数のためのメダルが投入される受け皿９１と、この受け皿９１の下側に開口する計数メダル投入口９２と、詳細は後述するがこの台間カード処理機２００に合致したメダルの計数結果を表示する計数枚数表示部９３と、後述の登録モードの際に点灯される表示灯９４とが備えられる。そして、メダル計数機９０は、遊技によって獲得した賞メダル（獲得メダル）などのメダルを投入すると、その投入を受け付けて計数し、その計数値を内蔵の記憶媒体に記録し、更にはその計数値を島コントローラ２０や管理装置１００に台番号と共に通知するものである。
【００４１】
本実施例では、店舗内の１台の台間カード処理機２００あるいは３００のメダル計数機９０を用いて運用対象のメダルの登録情報を取得し、この登録情報を用いて店舗内の台間カード処理機２００、３００全台のメダル計数機９０に運用対象のメダルと運用対象外のメダルとの判定機能を持たせることが主眼である。したがって、台間カード処理機２００、３００のメダル計数機９０は、投入されたメダルの枚数を計数するという働きの外に、少なくとも１台に運用対象のメダルの登録情報を取得する機能を持たせるとともに、取得した登録情報にて獲得メダルの種別判定をする機能を全台に持たせる。
【００４２】
ここで、運用対象のメダルの登録情報を取得する機能は１台の台間カード処理機２００あるいは３００のメダル計数機９０のみが行うので、店舗内のある特定の１台の台間カード処理機２００あるいは３００を決めてそのメダル計数機９０にこの機能を持たせてもよいが、店舗内の台間カード処理機２００、３００の数台、あるいは場合によっては台間カード処理機２００、３００全台のメダル計数機９０にこの機能を持たせても良い。複数台にこの機能を持たせた場合には、運用対象のメダルの登録情報の取得に際しては１台の台間カード処理機２００あるいは３００のメダル計数機９０を選択し特定することになる。
【００４３】
また、運用対象のメダルの登録情報を取得する機能は、店舗の営業時（実運用時）での運用対象のメダルと運用対象外のメダルとの判定機能の前提となる機能であるため、店舗の非営業時例えば開店前又は閉店後に実行される。この場合、運用対象のメダルの交換は通常頻繁には行われないので、例えば新装開店時、あるいは運用対象のメダルの磨耗が無視できなくなった時、あるいは間隔をおいて、運用対象のメダルの登録情報の取得機能を実行することになる。
【００４４】
したがって、運用対象のメダルの登録情報の取得機能を有する少なくとも１台の台間カード処理機２００あるいは３００のメダル計数機９０は、運用対象のメダルの登録情報を取得する登録モードと、運用対象のメダルと運用対象外のメダルとの判定機能を持たせた判定モードとのモード切替機能を有する。そして、この登録モードは、店舗の非営業時に台間カード処理機２００あるいは３００のメダル計数機９０自体にて運用対象のメダル画像の特徴量に相当する運用対象の正規（真）の基準メダル情報である登録情報を取得し、その登録情報を島コントローラ２０、３０や管理装置１００に通知する（図１の点線ルート表示）というモードである。
【００４５】
少なくとも１台の台間カード処理機２００あるいは３００のメダル計数機９０を登録モードに切替えるためには、例えば図１に示すような従業員が所持するリモートコントローラ（リモコンという）５が用いられる。このリモコン５の操作によって１台の台間カード処理機２００あるいは３００のメダル計数機９０が常時判定モードになっている状態から登録モードに切替る。モード切替の対象となる台間カード処理機２００あるいは３００のメダル計数機９０が、複数台用意されている場合にはモードを切替える１台を指定して切替操作をする。
【００４６】
なお、登録モードは真贋判定に必要な基準メダル情報の登録情報取得に係わるので、特定の従業員のみの切替え操作を可能とすべく設定者権限認証を設定しても良い。この場合には、台間カード処理機２００、３００のメダル計数機９０及び島コントローラ２０、３０や管理装置１００に、予め設定対象となる上書き項目に対応して設定可能な権限者を特定した設定者権限情報を記録し確認できるようにしておくことが必要である。また、リモコン５による従業員操作の外にも該当する台間カード処理機２００あるいは３００のメダル計数機９０内部への手動操作、あるいは管理装置１００や島コントローラ２０あるいは３０からの切替指令送信操作、あるいはこれらの重複操作によりモード切替を可能としても良い。また、登録モードから判定モードに戻る場合には、切替操作を行うようにしても良いが、通常の営業状態（実運用時）である判定モードへの切替えであるので設定時間の経過にて自動復帰するようにしても良い。
【００４７】
一方、店舗内の台間カード処理機２００、３００全台のメダル計数機９０は、通常運用対象のメダルと運用対象外のメダルとの判定機能を持たせる判定モードとなっており、投入される獲得メダルの真贋を判別する機能を備えている。そのために判定モードは、実運用時に投入されるメダル情報と基準メダル情報とを比較して真贋判定を行い、運用対象のメダルの場合にはそれを計数し、不要（贋）な排除すべき運用対象外のメダルの場合もそれを計数するというモードとなっている。そして、それら運用対象のメダル並びに運用対象のメダルの両計数値は島コントローラ２０、３０や管理装置１００に台番号と共に通知する。
【００４８】
次に、図１に示した台間カード処理機２００の内部構成について説明する。図３は、図１に示した台間カード処理機２００の内部構成を示すブロック図である。なお、ここでは、登録モードと判定モードとの切替えが可能な台間カード処理機２００の構成を示す。また、台間カード処理機３００については、台間カード処理機２００と同様の構成を有するので説明を省略する。
【００４９】
図３に示すように、台間カード処理機２００は、計数メダル投入口９２からメダルの投入が受け付けられる投入受付部２０２と、操作部２０３と、表示部２０４と、記憶部２０５と、制御部２１０とを備える。
【００５０】
操作部２０３は、投入した貨幣の返却操作を受け付ける返却レバー８４と、メダルの貸出操作を受け付ける貸出ボタン８５ａと、カードの返却操作を受け付ける返却ボタン８５ｂと、メダルの貸出単位を設定する金額設定ボタン８６と、リモコン５の操作に係わる操作受付部とを含む。
【００５１】
表示部２０４は、カードの受付可能状態を報知するカードランプ８１と、現金の受付可能状態を報知する現金ランプ８２と、貸出結果を表示する金額表示部８７と、計数枚数表示部９３と、登録モードの際に点灯される表示灯９４とを含む。
【００５２】
記憶部２０５は、ハードディスク装置や不揮発性メモリ等からなる記憶デバイスである。記憶部２０５は、運用対象のメダルの画像データを登録情報２０５ａとして記憶する。また、登録情報２０５ａの他、プログラム、設定者権限情報、運用対象のメダル数、運用対象外のメダル数等のデータを記憶する。
【００５３】
制御部２１０は、台間カード処理機２００を全体制御する制御部であり、カード処理部２１０ａ、切替部２１１、特徴量取得部２１２、メダル情報登録部２１３、判定部２１４、計数部２１５を有する。
【００５４】
カード処理部２１０ａは、カードが挿入された場合に、カードＩＤを含むカード挿入通知を管理装置１００に送信する。また、カード処理部２１０ａは、管理装置１００から有価価値（プリペイド価値、持メダル数及び貯メダル数の少なくともいずれか）を受信した場合に、受信した有価価値を記憶する。カード処理部２１０ａは、記憶した有価価値を適宜表示制御する。また、カード処理部２１０ａは、持メダルを受信した場合には、管理装置１００に対して持メダル減算要求を送信し、管理装置１００が管理する持メダル口座の残高をゼロにクリアさせる。
【００５５】
また、カード処理部２１０ａは、紙幣が挿入された場合には、該紙幣に対応する入金額とカードＩＤとを含む入金通知を管理装置１００に送信する。また、カード処理部２１０ａは、遊技客によりメダル貸し操作が行なわれた場合に、カードＩＤを含むメダル貸要求を管理装置１００に送信する。このメダル貸要求への応答としてメダル貸許可を受信したならば、カード処理部２１０ａは、所定数のメダルを払い出し、プリペイド価値の残高を所定数減算する。
【００５６】
また、カード処理部２１０ａは、遊技客により持メダル再プレイ操作が行なわれた場合に、自装置が管理する持メダル数を所定数減算し、対応する数のメダルを払い出す。また、カード処理部２１０ａは、遊技客により貯メダル再プレイ操作が行なわれた場合に、カードＩＤを含む貯メダル再プレイ要求を管理装置１００に送信する。この貯メダル再プレイ要求への応答として貯メダル再プレイ許可を受信したならば、カード処理部２１０ａは、所定数のメダルを払い出す。
【００５７】
また、カード処理部２１０ａは、遊技客によりカード返却操作が行なわれた場合に、カードＩＤと持メダル数を含む持メダル加算要求を管理装置１００に送信し、自装置の持ちメダル数をゼロにクリアした後、カードＩＤを含むカード排出通知を管理装置１００に送信し、カードを排出制御する。
【００５８】
なお、図示を省略したが、台間カード処理機２００は、払出用のメダルを貯留する貯留部を有しており、カード処理部２１０ａがメダルの払出しを行なう場合には、貯留部に貯留したメダルが払い出されることとなる。
【００５９】
また、貯留部に貯留したメダル数については、センサ等を用いて、エンプティ、ニアエンプティ、フル、ニアフルを検知し、報知することができる。エンプティは、貯留部内にメダルが貯留されていない状態を示し、ニアエンプティは、貯留部内のメダルが少なく、貯留部が空になる可能性があることを示す。また、フルは、貯留部が貯留可能な最大数のメダルが貯留されていることを示し、ニアフルは、最大数に近い数のメダルが貯留されていることを示す。
【００６０】
貯留部にメダル自動補給機構が接続されている場合には、ニアエンプティを検知したときにメダル自動補給機構に補給要求信号を送信することで、メダルを補給することが可能である。また、貯留部にメダル自動回収機構が接続されている場合には、計数したメダルを自動回収機構に排出することができる。
【００６１】
切替部２１１は、リモコン操作等に伴う操作部２０３による切り替え信号にて判定モードから登録モードに切替え、また必要に応じて逆の切替えを行う処理部である。
【００６２】
特徴量取得部２１２は、投入受付部２０２にて受け付けられたメダル（登録モードの場合は計数メダル投入口９２からの基準メダル、判定モードの場合はスロットマシンからの獲得メダルおよび計数メダル投入口９２からのメダル）の画像の特徴量を取得する処理部である。また、特徴量取得部２１２は、図示していないが、メダル表面の模様（凹凸形状）を判定する機能を持つ第１の特徴量取得ユニット２１２Aと、メダルの色彩を判定する機能を持つ第２の特徴量取得ユニット２１２Bの入れ替えにより、いずれかの基準にて特徴量を判定する機能を持つものであり、第１の特徴量取得ユニット２１２Aと第２の特徴量取得ユニット２１２Bは、台間カード処理機２００から他の機能とは別にユニット単位で取外し可能であり、互いに入れ替え可能なように同一形状に構成される。台間カード処理機２００からは、特徴量取得部２１２として第１の特徴量取得ユニット２１２Aを有しているか、第２の特徴量取得ユニット２１２Bを有しているかを上位装置（例えば管理装置１００）に通知する構成とすることが好ましい。この場合、特徴量取得ユニットの種別を通知するタイミングとしては、台間カード処理機の電源がONとなったタイミング、管理装置１００において開店処理を行ったタイミング、従業員が通知指示操作を行った場合等が考えられるが、特に限定されない。
【００６３】
メダル情報登録部２１３は、登録モードにあって特徴量取得部２１３により取得された特徴量を登録情報２０５ａとして記憶部２０５に格納する処理部である。
【００６４】
判定部２１４は、実運用時の判定モードにあって基準メダルの特徴量（登録情報２０５ａ）と獲得メダルの特徴量とを比較し、運用対象のメダルか運用対象外のメダルかを判定する処理部である。
【００６５】
計数部２１５は、実運用時の判定モードにあってメダルを計数する処理部である。計数部２１５は、メダルの計数結果を持メダル数に加算する。また、運用対象のメダルの計数結果と運用対象外のメダルの計数結果とをそれぞれ記憶部２０５に格納してもよい。
【００６６】
ここで、登録モードにおいて得られた運用対象のメダルの基準メダルの登録情報２０５ａは、管理装置１００に回線４２又は４３及び４を介して送信され（図１の点線ルート表示）、管理装置１００では情報記憶部（図示省略）に記憶される。そして、この情報記憶部に記憶された基準メダルの登録情報２０５ａは、台間カード処理機２００、３００全台のメダル計数機に配信される（図１の破線ルート表示）。
【００６７】
基準メダルの登録情報２０５ａを配信された台間カード処理機２００、３００は、受信した登録情報２０５ａが所定の条件を満たすかを判定し、所定の条件を満たす場合には、受信した登録情報２０５ａを自装置の記憶部２０５に登録する。また、台間カード処理機２００、３００は管理装置１００等の上位装置からの指示により、登録情報２０５ａをクリアする機能を備えている。登録情報２０５ａが記憶されていない状態では、メダルの計数・判別制御は停止される。
【００６８】
所定の条件としては、受信した登録情報２０５ａが、既に記憶している登録情報２０５ａよりも新しいこと、受信した登録情報２０５ａが権限者により登録されたものであること、登録情報２０５ａの書き換えが可能なタイミングであること、等を用いることができる。この条件は、上記したうちの１つを選択的に用いてもよいし、複数を組み合わせて用いてもよい。特に、複数を用いた場合には、不正な登録作業が行なわれる蓋然性をより低減することができるという効果を生じる。
【００６９】
なお、受信した登録情報２０５ａが、既に記憶している登録情報２０５ａよりも新しいか否かは、登録情報２０５ａに付された識別番号を比較することにより判定することができる。また、権限者により登録されたものであるか否かは、登録情報２０５ａの取得時に、登録モードへの切替を行なった設定者権限情報を関連付けることで判定することができる。また、登録情報２０５ａの書き換えが可能なタイミングとは、遊技客の遊技への障害や、不正な登録作業の可能性を鑑みれば開店前や閉店後など、営業時間外とすることが好適である。
【００７０】
次に、登録モードにおける台間カード処理機２００の処理手順について説明する。図４は、登録モードにおける台間カード処理機２００の処理手順を示すフローチャートである。図１に示したリモコン５により、赤外線非接触通信にて１台の台間カード処理機２００に切替指令を送ると、認証処理を条件にこの台間カード処理機２００（図１の斜線で示した台間カード処理機）のメダル計数機９０が登録モードに切り替えられ、登録モード中であることの表示が表示灯９４にて行われる（ステップＳ１０１）。リモコン５には、個々のリモコンを識別するための識別ＩＤが記憶されているとともに、使用者を特定するためのコード（使用コード）が記憶されており、この識別ＩＤと使用コードに基づいた認証用情報が記憶されている。リモコン５は、管理装置１００あるいは管理装置１００に接続される端末（登録端末）において使用登録を行なうことで、使用可能になる。この使用登録に際しては、登録端末において使用コードと従業員情報の選択が行なわれた状態で、登録端末とリモコン５を通信させ、リモコン５において登録操作をすると、登録端末側で、受信したリモコンＩＤと使用コード、従業員情報を結びつけたデータが作成されるとともに、受信したリモコンＩＤと使用コードを用いて所定の暗号化処理が行われ、認証用情報が作成される。この認証用情報はリモコン５に送信され、リモコン５の記憶部に登録される。管理装置１００は、営業の開始にあたって、リモコンＩＤと認証用情報を対応づけた形のデータを各台間カード処理機２００及び３００に配信している。台間カード処理機２００又は３００は、リモコン５からの指令を受けると、指令に含まれる認証情報とリモコンＩＤについて、自己が記憶しているものと比較を行い、一致（対応関係が正当）であれば正当な指令として指令通りに作動するが、正当でないという結果の場合はエラー情報を表示する。また、リモコン５による指令を受けた場合は、随時あるいは所定時間ごとにまとめて、操作が行われたリモコンＩＤを管理装置１００に通知するため、管理装置１００は、リモコンＩＤおよび認証情報から特定される使用コードに基づいてどの従業員が操作を行ったかを特定して管理することができる。この認証処理は、他のセキュリティを要する行為、例えば台間カード処理機の貨幣貯留部の解錠、台間カード処理機２００及び３００のメダル貯留部の解錠などにも用いられる。なお、メダルの認識データの登録、貨幣貯留部の解錠、メダル貯留部の解錠にそれぞれ権限による制限を設け、リモコン登録時に管理装置１００からの情報（従業員情報から判断される権限）に基づいて、リモコン５における使用機能の有効・無効を制御してもよい。
【００７１】
ついで、この台間カード処理機２００のメダル計数機９０の受け皿９１に基準メダルを流し込むとそのメダルの投入が受け付けられる（ステップＳ１０２）。メダルが受け付けられたならば、特徴量取得部２１２は、メダルの表裏画像について特徴量を取得する（ステップＳ１０３）。ついで、メダル情報登録部２１３は、複数枚（たとえば５枚や１０枚）の基準メダルの特徴量の中から代表する特徴量を決定し、該特徴量を登録情報２０５ａとして登録し（ステップＳ１０４）、登録情報２０５ａを管理装置１００に送信して（ステップＳ１０５）、処理を終了する。ここで、特徴量の取得を複数枚の基準メダルにて行うのは、確実な基準メダル情報を得るためであり、例えば複数の特徴量の標準値を代表として得ることで確実な特徴量を得ることができる。
【００７２】
管理装置１００では、登録モードとなっている台間カード処理機２００から送られてきた台番号と登録情報２０５ａとが記憶される。そして、この管理装置１００では設定者権限情報がある場合にはそれが確認・認定され、また、台番号と登録情報２０５ａとが確認・認定される。そして、この確認情報に問題が無ければ、登録情報２０５ａは、台間カード処理機２００、３００全台に配信される。台間カード処理機２００、３００全台のメダル計数機９０では、その登録情報２０５ａを図３に示す記憶部２０５に記憶し基準メダル情報として台間カード処理機２００、３００での獲得メダルの真贋判定に用いる。この場合、各台間カード処理機２００から、特徴量取得部２１２として第１の特徴量取得ユニット２１２Aを有しているか、第２の特徴量取得ユニット２１２Bを有しているかを管理装置１００が受信する構成としている場合において、各特徴量取得ユニットに対応した登録情報が配信される。つまり、登録モードとなっている台間カード処理機２００から送られてきた登録情報２０５aが第１の特徴量取得ユニット２１２Aを有している台間カード処理機である場合、または登録情報２０５aにメダルの模様判別用データであることを示す識別情報が付されている場合には、第１の特徴量取得ユニット２１２Aを有している台間カード処理機全台を対象として配信処理が行われる。この構成により、第１・第２の特徴量取得ユニットが混在している場合にもデータの混乱が生じないという効果を奏する。
【００７３】
なお、基準メダル情報を登録情報２０５ａとして管理装置に送信した１台の台間カード処理機２００では、既に登録情報２０５ａが記憶部２０５に存在するので、管理装置１００からの確認信号のみにて記憶部２０５に記憶された登録情報２０５ａをこの台間カード処理機２００の獲得メダルの真贋判定に用いることができる。もっとも、管理装置１００にて設定者権限情報が確認・認定できないとか、台番号と登録情報２０５ａとが確認・認定できない場合には登録情報２０５ａの配信が行われず、図４に示す登録モードが管理装置１００に送信した台間カード処理機２００への確認信号も配信されない。ここでは、図４に示す再度の登録モードのステップを繰り返すことになる。
【００７４】
次に、判定モードにおける台間カード処理機２００の処理手順について説明する。図５は、判定モードにおける台間カード処理機２００の処理手順を示すフローチャートである。なお、台間カード処理機３００の処理手順についても同様であるので、ここでは台間カード処理機２００の処理手順について説明し、台間カード処理機３００の処理手順については説明を省略する。
【００７５】
実運用時に獲得メダルが台間カード処理機２００のメダル計数機９０に投入されると、その獲得メダルが受け付けられる（ステップＳ２０１）。特徴量取得部２１３は、この受け付けられた獲得メダル画像の特徴量を取得する（ステップＳ２０２）。判定部２１４は、配信され記憶された基準メダルの特徴量である登録情報２０５ａとこの獲得メダルの特徴量とを比較し、一致するかを判定する（ステップＳ２０３）。
【００７６】
比較の結果、登録情報２０５ａと獲得メダルの特徴量とが一致した場合（ステップＳ２０３；Ｙｅｓ）、「獲得メダルは基準メダルと同じである」と判定されるので、計数部２１５は、獲得メダルを運用対象のメダルとして計数する（ステップ２０４）。該計数の後、計数部２１５は、メダルをメダル流通経路又は受け皿７６に排出し（ステップＳ２０５）、処理を終了する。
【００７７】
一方、登録情報２０５ａと獲得メダルの特徴量とが一致しない場合（ステップＳ２０３；Ｎｏ）には、「獲得メダルは基準メダルでない」と判定されるので、計数部２１５は、獲得メダルを運用対象外のメダルとして計数する（ステップＳ２０６）。該計数の後、計数部２１５は、メダルをメダル流通経路に戻すことなく、例えばメダル排除箱に区分けして排出し（ステップＳ２０７）、処理を終了する。メダルの区分けは、例えばメダル排出路に扉を設け、制御部によるこの扉の開閉制御にて、運用対象のメダルであればメダル流通経路に、運用対象外のメダルであればメダル排除箱にそれぞれ選別することが可能である。
【００７８】
台間カード処理機２００のメダル計数機９０によって計数される獲得メダル中には、多数の運用対象外のメダルが混入されることも考えられる。運用対象外のメダルが時間をおいて検出され計数される場合には「運用対象外のメダル除去の見落とし」などの場合も考えられるが、多数の運用対象外のメダルが短時間で検出され計数されたときには、遊技者が故意に混入したことも考えられる。
【００７９】
そこで、計数部２１５は、運用対象のメダルと運用対象外のメダルの計数結果を用いて、混入の監視を行なう。図６は、計数部２１５による混入監視の処理手順を示すフローチャートである。図６に示すように、計数部２１５は、運用対象のメダル並びに運用対象外のメダルの計数処理の結果から、運用対象外のメダルの頻度検出を行い（ステップＳ３０１）、運用対象のメダルの枚数に対して運用対象外のメダルの枚数の割合がどのくらいあるかを検出する。
【００８０】
計数部２１５は、この頻度検出値と混入閾値とを比較し（ステップＳ３０２）、頻度検出値が閾値を超えている場合（ステップＳ３０２；Ｙｅｓ）には、警報及び台間カード処理機の遊技者を撮像する（ステップＳ３０３）。警報及び撮像の終了後、もしくは頻度検出値が混入閾値以下である場合（ステップＳ３０２；Ｎｏ）、計数部２１５は、混入監視の処理を終了する。なお、混入閾値は、今までの経験から「故意の混入」の値とみなすか否かを示す頻度の基準値であり、予め設定し、台間カード処理機２００及び３００により記憶されている。
【００８１】
なお、実運用時、図５に示した獲得メダルの真贋判定に際し、ステップＳ２０２にて獲得メダルの特徴量を得ることになるが、ここでは多数の獲得メダルの特徴量をサンプリングして計数枚数に対応付けて記憶しておくことが好ましい。運用対象外のメダルの混入など不正の可能性があって管理装置１００により獲得メダルのデータ解析をする場合には、計数枚数に対応付けてサンプリングした特徴量を記憶することによって、多数のメダルにおける特徴量の正誤の確認が容易になる。この場合、図６に示したステップＳ３０１での頻度検出値、言い換えれば運用対象外のメダルの混入率と合わせてこのサンプリングした特徴量を記憶することで、データ解析が更に容易になり解析精度も向上する。
【００８２】
さて、遊技店にて遊技機の遊技メダルを交換する時期は、例えば新装開店時などであることを前に述べた。このため、台間カード処理機２００、３００のメダル計数機９０による図４に示すような登録モードの処理は、この遊技メダル交換時には必要不可欠である。しかし、遊技店の営業にて日々多量の遊技メダルを取り扱い、店内を流通させると、この遊技メダルが汚れ模様や文字が磨耗しメダル研磨作業にてこの磨耗が更に進む事態となる。この場合、図５に示した判定モードの処理にあって、ステップＳ２０３に示した登録情報２０５ａと獲得メダルの特徴量との比較の精度が落ちあるいは誤りが発生する恐れがある。すなわち、図５に示す判定モードにあってステップＳ２０３にて登録情報２０５ａと獲得メダルの特徴量とが一致せず、運用対象のメダルにも拘わらず運用対象外のメダルと判定してしまうことが起こり得る。この問題は、画像・凹凸等を識別する場合だけでなく、色・光沢などを識別して正規メダルを判別する場合にも起こりうる問題である。
【００８３】
このようなことを防止するため、登録情報２０５ａに精度の順位の異なる複数の特徴量データを持たせてもよい。例えば順位Aを新品メダルあるいは新品メダル同様の特徴量データ、順位Bを磨耗がみられるがデータ比較には何ら問題ない特徴量データ、順位Cを磨耗が進んでデータ比較には誤りなどの問題が発生する可能性がありメダル交換が近い特徴量データとし、順位Ａ〜Ｃの特徴量データを用いて比較を行なうことで、摩耗などによる誤判定の発生を防ぐことができる。
【００８４】
図７は、複数の特徴量データを用いた判定の処理手順を示すフローチャートである。図５に示した特徴量の取得（ステップＳ２０２）の後、図７のフローチャートでは、まず判定部２１４は、獲得メダルの特徴量と順位Ａの特徴量データとを比較する（ステップＳ４０１）。この比較の結果、獲得メダルの特徴量と順位Ａの特徴量データとが一致する場合（ステップＳ４０１；Ｙｅｓ）には、判定部２１４は、記憶部２０５に記憶した順位Ａの計数値を加算し（ステップＳ４０２）、図５に示したステップＳ２０４に移行する。
【００８５】
獲得メダルの特徴量と順位Ａの特徴量データとが一致しない場合（ステップＳ４０１；Ｎｏ）には、判定部２１４は、獲得メダルの特徴量と順位Ｂの特徴量データとを比較する（ステップＳ４０３）。この比較の結果、獲得メダルの特徴量と順位Ｂの特徴量データとが一致する場合（ステップＳ４０３；Ｙｅｓ）には、判定部２１４は、記憶部２０５に記憶した順位Ｂの計数値を加算し（ステップＳ４０４）、図５に示したステップＳ２０４に移行する。
【００８６】
獲得メダルの特徴量と順位Ｂの特徴量データとが一致しない場合（ステップＳ４０３；Ｎｏ）には、判定部２１４は、獲得メダルの特徴量と順位Ｃの特徴量データとを比較する（ステップＳ４０５）。この比較の結果、獲得メダルの特徴量と順位Ｃの特徴量データとが一致する場合（ステップＳ４０５；Ｙｅｓ）には、判定部２１４は、記憶部２０５に記憶した順位Ｃの計数値を加算し（ステップＳ４０６）、図５に示したステップＳ２０４に移行する。そして、獲得メダルの特徴量と順位Ｃの特徴量データとが一致しない場合（ステップＳ４０５；Ｎｏ）には、判定部２１４は、図５に示したステップＳ２０６に移行する。
【００８７】
このように、獲得メダルの特徴量と順位Ａ〜Ｃの特徴量データとを順に比較することで獲得メダルの磨耗程度に応じて、運用対象のメダルか運用対象外のメダルかを高精度に判定することができる。
【００８８】
なお、順位Ａ及びＢの計数値に対する順位Cの計数値の比率が高くなってきた場合には、その比率を検出してメダル交換時期を表示するようにしても良い。
【００８９】
これまでの説明は、管理装置１００が登録情報２０５ａの記憶及び配信を行なう場合について説明してきた。しかしながら、この管理装置１００が何らかの原因にてオフラインとなり、各遊技島との通信が不通になったときこの管理装置１００の代わりに島コントローラ２０又は３０に同様の機能を持たせても良い。すなわち、管理装置１００の記憶機能及び全台配信機能を島コントローラ２０、３０に持たせ、その遊技島で登録された登録情報２０５ａの取得と、その遊技島の台間カード処理機２００又は３００への配信と、判定モードへの実行許可とを、島コントローラ単位で行うようにしても良い。また、島コントローラ２０、３０同士が通信可能な場合には、他の遊技島への台間カード処理機２００あるいは３００への配信を行うこともできる。この場合には、従業員の権限に応じて、オフラインでの登録モードの実行可能性や配信に差を持たせて一部の従業員のみに登録モードの実行許可や配信権限を持たせてもよい。
【００９０】
また、この島コントローラ２０、３０の使い方として、店舗内の遊技機が少数台しかない少数台稼動の場合には、台間カード処理機２００、３００のメダル計数機９０に割り当てられた判定モードでの特徴量の比較(図５のステップＳ２０３)や計数（図５のステップＳ２０４、Ｓ２０６）をこの島コントローラ２０、３０の機能としても良い。この場合、少なくとも１台の台間カード処理機２００あるいは３００のメダル計数機９０での登録モードによって取得された登録情報２０５ａは島コントローラ２０、３０に登録される一方、台間カード処理機２００、３００のメダル計数機９０での判定モードによる獲得メダルの特徴量データも島コントローラ２０、３０に送信され、この島コントローラ２０、３０にて特徴量の比較や計数等を行うようにしても良い。
【００９１】
更に、以上の説明は管理装置１００や島コントローラ２０、３０の存在を前提として、１台の台間カード処理機２００あるいは３００のメダル計数機９０による運用対象のメダルの登録情報を用いて店舗内の台間カード処理機２００、３００全台のメダル計数機９０に運用対象のメダルと運用対象外のメダルとの判定機能を持たせることであったが、このことは必ずしも管理装置等を経なくとも可能である。すなわち、データの送配信や授受、管理装置の確認・記憶機能は、管理装置を介することなく台間カード処理機２００、３００を含むユニットにて受け持ち、このユニット同士の通信にて登録情報の確認や配信を行うこともできる。この場合、暗号・復号ルールをユニット同士で取り決めてデータの安全を図り、更には従業員認証を各ユニットで確認して更なる安全を図ることが好ましい。すなわち、暗号化・復号化に基づくデータ認証と従業員認証とを通すことにより、他のユニットからのデータを正規の真贋判定用のデータとして取り扱うようにすることができる。
【００９２】
上述してきたように、本実施例１では、遊技店に設けた台間カード処理機２００及び３００のうち少なくとも一台に、基準となるメダルの特徴を登録情報２０５ａとして取得する機能を持たせ、該登録情報２０５ａを遊技店に設けた台間カード処理機２００及び３００で共有し、判定モードにおいて受け付けたメダルの特徴量を登録情報２０５ａと比較して運用対象のメダルと運用対象外のメダルとを峻別するよう構成した。このため、専用装置や店舗以外の場所にて煩雑な作業を必要とすることなく基準となるメダルの特徴を効率的に取得することができる。
【実施例２】
【００９３】
実施例１では、獲得メダルの判定として運用対象のメダルと運用対象外のメダルとの判定を説明した。しかし、遊技店によっては同じ店舗内でも遊技種が異なり、例えば５円レートの遊技島、２０円レートの遊技島という具合に異なる遊技種が存在する。この場合の遊技種とは遊技媒体単数あたりの貸与時の価値が異なる種別はもちろん、貸与時の価値が同一であっても交換時の価値が異なる場合や付加価値の付与率が異なる場合など、運営上遊技に用いる遊技媒体を相互に分別して扱うべきものと定められている種別を含む意味である。この場合、自店で運用しているメダルでも遊技種（例えばレート）の異なるメダルはその色あるいは模様等を異ならせており、遊技店内に設けた区画などによって使用するべき適正なメダルを定めている。従って、メダルを区別する際に、自店舗で運用し、かつ適正な区画で使用されたメダルであるか、自店舗で運用しているが不適正な区画で使用されたメダルであるか、自店舗で運用していないメダルであるか、を区別することが求められる。そこで、本実施例２では、複数の遊技種に対応した構成について説明する。なお、以下の説明では、レートの異なる複数の遊技種にそれぞれ色あるいは模様等が異なるメダルを使用する場合について説明を行なう。また、自店舗で運用しているメダルを自店メダルと称し、自店舗で運用していないメダルを他店メダルと称する。さらに、自店メダルのうち、区画も適正なメダルを自レートメダル、自店メダルであるが区画が不適正なメダルを他レートメダルと称する。
【００９４】
図８は、実施例２での遊技店のシステムを示す概念図である。なお、実施例１と同一の構成要素には同一の符号を付し、遊技島２と遊技島３とは異なるレートの島を想定している。本実施例２では、店舗内の１台の台間カード処理機２００又は３００のメダル計数機９０を用いて登録モードによる自店メダルの自レートメダル又は他レートメダルの登録情報を取得し、この登録情報を用いて店舗内の台間カード処理機２００、３００全台のメダル計数機９０に判定モードによる自レートメダル・他レートメダルと他店メダルとの判定機能を持たせている。
【００９５】
図８の例では、遊技島２に登録情報取得可能な１台の台間カード処理機２００（斜線表示）、異なるレートの遊技島３に登録情報取得可能な１台の台間カード処理機３００（斜線表示）を表示する。
【００９６】
このように、登録情報取得機能を有する台間カード処理機を遊技島毎に設けた場合には、台間カード処理機２００は遊技島２のレートのメダルを登録し、台間カード処理機３００は遊技島３のレートのメダルを登録することができる。また、台間カード処理機２００又は３００が自装置の属する遊技島以外のレートのメダルを登録することもでき、この場合には登録情報取得機能を有する台間カード処理機は１台であってもよい。
【００９７】
また、本実施例２では、１台のリモコン５の指令によって異なるレートについて判定モードから登録モードへの切替操作を可能としている。
【００９８】
次に、実施例２における登録モードの処理手順について説明する。図９は、実施例２における登録モードの処理手順を示すフローチャートである。図８に示すようにリモコン５にて１台の台間カード処理機２００のメダル計数機に切替指令を送るとこの台間カード処理機２００（図１の斜線で示した台間カード処理機と同じ）のメダル計数機９０が登録モードになり、登録モード中である表示が行われる（ステップＳ５０１）。
【００９９】
ついで、この台間カード処理機２００のメダル計数機９０に基準メダルを流し込むとそのメダル投入が受け付けられる（ステップＳ５０２）。メダルが受け付けられたならば、特徴量取得部２１３は、メダルの表裏画像について特徴量を取得する（ステップＳ５０３）。
【０１００】
メダル情報登録部２１３は、投入されたメダルが自レートの基準メダルであるか、他レートの基準メダルであるかの指定をリモコン５等により受け付けており、自レートのメダルであるならば（ステップＳ５０４；Ｙｅｓ）、複数枚（たとえば５枚や１０枚）の基準メダルの特徴量の中から代表する特徴量を決定し、該特徴量を自レートメダルの登録情報として登録し（ステップＳ５０５）する。一方、他レートのメダルであるならば（ステップＳ５０４；Ｎｏ）、複数枚（たとえば５枚や１０枚）の基準メダルの特徴量の中から代表する特徴量を決定し、該特徴量を他レートメダルの登録情報として登録する（ステップＳ５０６）。そして、登録情報を管理装置１００に送信して（ステップＳ５０７）、処理を終了する。代表する特徴量の決定方法としては、複数枚の基準メダルのうちの１枚をサンプリングする方法、特徴量が平均に近い１枚を抽出する方法、複数枚の基準メダルの特徴量の平均出力値を算定する方法などが考えられるが、特に限定されない。
【０１０１】
管理装置１００では、図８の点線ルート表示のように送られてきた遊技島２の台番号情報と登録情報及び遊技島３の台番号情報と登録情報とが記憶される。管理装置１００では、台番号情報（台間カード処理機２００又は３００を個々に特定するための情報）が管理されている。そして、台番号情報はグループ分けされており、それぞれの台番号情報は、グループを識別するグループ識別情報とともに管理されている。このグループ分けの単位は、遊技島あるいは、複数の遊技島にまたがる遊技コーナーなどとなっており、遊技店として一つの運用（レート、遊技方式など）で運用する単位として任意に設定されるものである。このグループの設定は、設定後も変更が可能である。また、各グループには、遊技種（例えばレート）が対応付けて記憶されている。そして、この管理装置１００では設定者権限情報がある場合にはそれが確認・認定され、また、台番号情報と登録情報とが確認・認定される。そして、この確認情報に問題が無ければ、管理装置にて各レートに対応するグループが特定され、各レートの登録情報は、対応するグループごとに台間カード処理機２００又は３００に配信される。
【０１０２】
なお、ここでは遊技店が使用する基準メダルが２種類であることを想定し、基準メダルを自レートと他レートに区別して処理を行なう処理を示したが、３種類以上の基準メダルを使用する場合には、レートを特定する情報を受け付けておき、レートを登録情報に関連付けて登録することが好ましい。この場合、登録時にレートを指定する情報を受け付けた場合には、指定されたレートに対応するグループの台間カード処理機を対象として登録情報が配信される。一方、登録時にグループを指定する情報を受け付けた場合には、指定されたグループの台間カード処理機を対象として登録情報が配信される。この場合、単一の登録設定作業中において、グループを対象として登録情報が配信された時点で、既にレートを対象とした登録情報が配信されている場合には、グループを対象とした登録情報によって登録情報が上書きされる。一方、レートを対象として登録情報が配信された時点で、既にグループを対象とした登録情報が配信されている場合は、当該グループについては登録情報の配信対象から除外されるか、登録情報の上書きが禁止される。この制御は、レートが同じであっても特定のコーナーだけを別の遊技媒体を用いようとする店舗の運用を円滑にすすめるための制御である。この場合、無条件に上書き・上書き禁止を行なうのではなく、登録情報の配信が重複した場合には警告表示を行い、確認操作が行われることを条件に配信を行っても良い。この場合、配信の重複は管理装置が判定するが、配信を受けた側の台間カード処理機が判定を行っても良い。
【０１０３】
次に、実施例２における判定モードの処理手順について説明する。図１０は、実施例２における判定モードの処理手順を示すフローチャートである。実運用時に獲得メダルが台間カード処理機２００のメダル計数機９０に取り込まれると、その獲得メダル投入が受け付けられる（ステップＳ６０１）。特徴量取得部２１２は、この受け付けられた獲得メダルの特徴量を取得する（ステップＳ６０２）。
【０１０４】
判定部２１４は、自店の自レート、すなわち自装置の遊技島のレートの基準メダルの特徴量と獲得メダルの特徴量とを比較し、一致するかを判定する（ステップＳ６０３）。比較の結果、自店の自レートの基準メダルの特徴量と獲得メダルの特徴量とが一致した場合（ステップＳ６０３；Ｙｅｓ）、「獲得メダルは自店自レートの基準メダルと同じである」と判定されるので、計数部２１５は、獲得メダルを自店自レートメダルとして計数する（ステップ６０５）。該計数の後、計数部２１５は、メダルをメダル流通経路又は受け皿７６に排出し（ステップＳ６０６）、処理を終了する。
【０１０５】
一方、自店自レートの基準メダルの特徴量と獲得メダルの特徴量とが一致しない場合（ステップＳ６０３；Ｎｏ）には、判定部２１４は、自店の他レート、すなわち自店の他の遊技島のレートの基準メダルの特徴量と獲得メダルの特徴量とを比較し、一致するかを判定する（ステップＳ６０４）。比較の結果、自店の他レートの基準メダルの特徴量と獲得メダルの特徴量とが一致した場合（ステップＳ６０４；Ｙｅｓ）、「獲得メダルは自店他レートの基準メダルと同じである」と判定されるので、計数部２１５は、獲得メダルを自店他レートメダルとして計数する（ステップ６０７）。該計数の後、計数部２１５は、メダルをメダル流通経路に戻すことなく、例えばメダル排除箱に区分けして排出し（ステップＳ６０８）、処理を終了する。
【０１０６】
一方、自店他レートの基準メダルの特徴量と獲得メダルの特徴量とが一致しない場合（ステップＳ６０４；Ｎｏ）には、「獲得メダルは自店のメダルでない」と判定されるので、計数部２１５は、獲得メダルを他店メダルとして計数する（ステップＳ６０９）。該計数の後、計数部２１５は、メダルをメダル流通経路に戻すことなく、例えばメダル排除箱に区分けして排出し（ステップＳ６１０）、処理を終了する。なお、自店他レートのメダルと他店メダルとは、同一のメダル排除箱に区分けしてもよいが、メダル排除箱を異ならせることとしてもよい。
【０１０７】
実施例１では、図６に示すようにメダルの頻度を検出することで警報や撮像をする説明をしたが、実施例２でも同様に自店自レートメダル、自店他レートメダル及び他店メダルの計数値から自店他レートメダルや他店メダルの頻度検出割合を得ることができ、混入閾値との比較にて警報あるいはその台の遊技者の撮像をする。
【０１０８】
また、実施例１では、複数の特徴量データを用いた判定により判定精度の向上を行なう場合を説明したが、本実施例２でも同様に複数の特徴量データを用いることで、判定精度を向上することができる。また、また、メダルの交換時期の検出が可能となる点も実施例１と同様である
【０１０９】
その他、本実施例２においても、実施例１にて述べた事柄を選択的に適用することができる。なお、台間カード処理機２００、３００のメダル計数機９０は、管理装置にて台番号とレートを記憶している場合には台番号のみにてレートが特定されることになるので、自らのレートを記憶していなくても良い。
【０１１０】
また、管理装置を介さずにユニット同士で通信する場合には、ユニット自らのレートが記憶されている場合、他のユニットから受け取った識別データのうち自レートに対応するものを特定して記憶することができる。
【０１１１】
さらに、管理装置１００がオフラインであって島コントローラ２０、３０にて管理する場合、島コントローラ同士が通信可能か否かで、登録データに差異を持たせても良い。例えば、島コントローラが通信できる場合には、複数のレートを登録可能とし、通信できない場合には自レートのみの登録としても良い。また、オフラインでの登録の可否は、従業員権限により差異を付けても良い。また、本実施例２では、各台間カード処理機について同一のグループが設定される範囲と、同一のレートが設定される範囲とが必ずしも同じでない場合を示しているが、これらが必ず一致するよう運用してもよい。また、台間カード処理機には、貨幣貯留部の解錠処理を一括で行うためのグループが設定されているが、このグループ設定と、登録データの登録のためのグループ設定とを範囲を一致させるようにしてもよい。
【０１１２】
さらに、管理装置１００においては、運用するレートを設定で記憶しているが、この運用レートの設定と、レートごとの登録情報（メダルを識別するための情報）を関連づけておき、店舗の方針で該当するレートの運用が停止された場合（例えば運用レートの設定の一部が休眠設定あるいは削除された場合）には、該当するレートの登録情報の削除を台間カード処理機に指示してもよい。さらに、運用レートが増加された場合（例えば新たに運用レートの設定がなされた場合）には、該当するレートの登録情報の設定が行なわれているか否かを確認し、行なわれていなければ報知出力等を行なう構成としてもよい。この報知出力は例えば管理装置１００の設定画面で行なうことが考えられる。
【０１１３】
上述してきたように、本実施例２では、遊技店が複数種類のメダルを使用する場合に、登録モードにおいて複数種類のメダルを区別して効率的に登録し、判定モードにおいてメダルの種類の判別が可能である。
【実施例３】
【０１１４】
実施例１及び２では、台間カード処理機２００及び３００が遊技機２９０との通信を行なわない構成について説明を行なったが、台間カード処理機が遊技機と通信を行なう構成にて本発明を適用しても良い。そこで、本実施例３では、台間カード処理機が遊技機と通信を行なう構成について説明する。
【０１１５】
図１１は、実施例３に係る台間カード処理機１２００及び遊技機１２９０の外観構成を示す図である。図１１に示すように貸出ボタン８５ａ及び返却ボタン８５ｂは、台間カード処理機１２００ではなく遊技機１２９０に設けられている。その他の構成については、図２に示した台間カード処理機２００及び遊技機２９０と同様であるので、説明を省略する。
【０１１６】
次に、図１１に示した台間カード処理機１２００の内部構成について説明する。図１２は、図１１に示した台間カード処理機１２００の内部構成を示すブロック図である。なお、遊技機１２９０については、台間カード処理機１２００の動作に関連する箇所のみ破線にて示している。
【０１１７】
図１２に示すように、貸出ボタン８５ａ及び返却ボタン８５ｂは、遊技機１２９０の筐体に設けられているものの、台間カード処理機１２００の制御部１２１０に直結されている。台間カード処理機１２００は、遊技機１２９０と通信するためのインタフェース２０１と、メダル払出部２０６とをさらに備えるとともに、制御部１２１０内に遊技機連携部２１６をさらに備える。その他の構成及び動作については、図２に示した台間カード処理機２００と同様であるので、同一の構成要素には同一の符号を付して説明を省略する。
【０１１８】
インタフェース２０１は遊技機１２９０と遊技媒体貸与処理関係の信号を送受信するものであり、遊技機１２９０の制御部１２９１と接続され、制御部１２９１からＰＲＤＹ信号、ＥＸＳ信号を受信し、また、インタフェース２０１は、遊技機１２９０に対してＢＲＤＹ信号、ＢＲＱ信号を送信する。また、遊技機１２９０との間には、接続線Ｌ１が設けられており、当該接続線Ｌ１からメダルの出入り、ボーナス等の情報を受信する。
【０１１９】
ＰＲＤＹ信号は、遊技機１２９０が台間カード処理機２００からのメダル払出指示を受け入れ可能な状態であるか否かを示す貸出可能信号である。このＰＲＤＹ信号は、Ｌレベルである場合にメダルの払出しが可能であることを示し、Ｈレベルである場合にメダルの払出しが不可能であることを示す。
【０１２０】
メダルの出入りは、遊技機１２９０の遊技によってメダルの消費や獲得が行なわれた場合に、消費したメダル数や獲得したメダル数を台間カード処理機１２００に通知するものである。また、ボーナスは、遊技機１２９０の遊技によってレギュラーボーナスやビックボーナス等、遊技者にとって有利な抽選結果が得られたことを示す。
【０１２１】
ＢＲＤＹ信号は、台間カード処理機１２００が遊技機１２９０に対してメダルの払出しを指示する状態にあるか否かを示す貸出状態信号である。このＢＲＤＹは、通常はＨレベルであって、貸出ボタン８５ａが操作された場合に度数があり、ＰＲＤＹ信号がＬレベルであることを条件としてＬレベルに反転する。ＢＲＱ信号は、遊技機１２９０に対して遊技媒体の貸出を要求する信号であり、ＢＲＤＹをＬレベルとした後にＬレベルに切替えられる。ＥＸＳ信号は、遊技機１２９０が遊技媒体の投出を完了したことを示す信号であり、ＢＲＱ信号のＬレベルを受けてＬレベルに反転し、これを受けてＢＲＱ信号はＨレベルに復帰する。また、ＥＸＳ信号は遊技媒体の１度数の投出が完了すると、Ｈレベルに復帰する。これを受けて、ＢＲＱ信号は再びＬレベルに反転する。ＢＲＱ信号のＬレベルへの反転が、１貸出単位（例えば５度数）完了するまで、ＢＲＤＹ信号はＬレベルに維持され、完了するとＨレベルに復帰する。この制御により遊技媒体の払出しが行われる。
【０１２２】
遊技機連携部２１６は、遊技機１２９０と台間カード処理機１２００を連携して動作させる処理部である。台間カード処理機１２００は、貸出によるメダルの投出と、貯遊技媒体（貯メダル）の再プレイによるメダルの投出について、投出の方法を選択設定する機能を備えており、通常の設定の場合、貸出によるメダルの投出と、再プレイによるメダルの投出を異なる方法で行なう。具体的には、メダルの貸出を行なう場合には、遊技機連携部２１６は、ＰＲＤＹがＬレベルであることを条件に、ＢＲＤＹをＬレベルに反転させ、遊技機１２９０のメダル払出部１２９２にメダルの払出しを行なわせる。一方、再プレイを行なう場合には、遊技機連携部２１６は、台間カード処理機１２００のメダル払出部２０６を用いてメダルの払い出しを行なう。また、再プレイによる投出を遊技機１２９０から行わせる設定も可能である。貸出あるいは再プレイ（計数メダル、貯メダル）について即投出（現金あるいはカードの挿入により、貸出操作を行わずに投出を行なう）設定がＯＮになっている場合であって、設定によりこれらの投出が遊技機１２９０からの投出に設定されている場合において、ＰＲＤＹがＨレベルである場合は、台間カード処理機１２００のメダル払出部２０６からメダルの投出を行なうことを可能にしてもよい。
【０１２３】
また、遊技機連携部２１６は、他店メダルや自店他レートメダルの計数を所定以上検出した場合には、メダルの貸出や再プレイによる払出しを禁止する。さらに、遊技機連携部２１６は、メダルの出入り、ボーナスの情報を受信している時には、その後所定期間において切替部２１１による登録モードへの切替を禁止する。同様に、ＢＲＤＹがＨレベルの時にもその後所定期間において切替部２１１による登録モードへの切替を禁止する。この制御は、遊技中において不正操作によってメダル識別用の登録情報が書き換えられることを防止するためのものである。
【０１２４】
上述してきたように、本実施例３では、台間カード処理機１２００は、遊技機１２９０と連携することにより、メダルの払出しや登録モードへの切替を遊技機１２９０の状態に応じて制御することが可能である。また、実施例１及び実施例２に記載したものと同様の効果を奏することができる。
【０１２５】
なお、上述した各実施例では、他店メダルと自店メダルを判別する例を示しているが、必ずしも他店メダルを判別する機能は必須ではなく、自店の他レートメダル（当該台間カード処理機で処理する対象外のメダル）と自レートメダル（当該台間カード処理機での処理対象のメダル）を判別する場合も本発明に含まれる。
【０１２６】
なお、上述した実施例では、メダルの画像（凹凸パターンなど）を判別する例を示しているが、メダルの識別方法はこれに限定されず、反射率データあるいは反射波長データなど色あるいは光沢などを識別する方法、内蔵したタグを識別する方法などを用いてもよく、運用対象と運用対象外のメダルを識別可能であれば特に限定されない。
【０１２７】
なお、上述の各実施例では、判定モードにおいて、メダルを１枚ずつ登録情報２０５ａと比較して判定する場合について説明したが、一度に複数のメダルを投入された場合には、所定枚数（例えば５枚）に１枚の割合で登録情報２０５ａとの比較を行なうように構成してもよい。
【０１２８】
また、上述の各実施例では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１２９】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１３０】
以上のように、本発明に係る各台装置及び遊技媒体処理方法は、遊技媒体の識別に用いるデータの効率的な登録に適している。
【符号の説明】
【０１３１】
２、３  遊技島
４、４２、４３  回線
５  リモコン
２０、３０  島コントローラ
９０  メダル計数機
９１  受け皿
９２  計数メダル投入口
９３  計数枚数表示部
９４  表示灯
１００  管理装置
２９０、３９０  遊技機（スロットマシン）
２００、３００  台間カード処理機
２０１  インタフェース
２０２  投入受付部
２０３  操作部
２０４  表示部
２０５  記憶部
２０５ａ  登録情報
２１０  制御部
２１０ａ  カード処理部
２１１  切替部
２１２  特徴量取得部
２１３  メダル情報登録部
２１４  判定部
２１５  計数部
【図１】
2014068910.tif 000003
【図２】
2014068910.tif 000004
【図３】
2014068910.tif 000005
【図４】
2014068910.tif 000006
【図５】
2014068910.tif 000007
【図６】
2014068910.tif 000008
【図７】
2014068910.tif 000009
【図８】
2014068910.tif 000010
【図９】
2014068910.tif 000011
【図１０】
2014068910.tif 000012
【図１１】
2014068910.tif 000013
【図１２】
2014068910.tif 000014